(57)【特許請求の範囲】
【請求項１】
舞台の前後方向に複数配設され、吊物が取り付けられるバトンと、
前記バトンの各上方の前記舞台の横断方向に複数配列された滑車を経て前記バトンを吊るす複数のワイヤと、
前記舞台の一方の側部に設けられた上部主滑車および下部主滑車に掛け渡された可撓綱状体と、
前記可撓綱状体および前記ワイヤに連結されたカウンタウエイトと、
前記上部主滑車を往復回転駆動させる引き綱と、
前記舞台の前後方向に沿って移動できるように当該舞台の一方の側部に配設され、前記可撓綱状体と着脱可能に係合して当該可撓綱状体を移動させる昇降手段と、
前記可撓綱状体に着脱可能に係合して当該可撓綱状体の移動を拘束するロック手段と
を備えてなることを特徴とする舞台の吊物昇降装置。
【請求項２】
前記昇降手段が
前記舞台の一方の側部に当該舞台の前後方向に沿って敷設された移動用レールと、
前記レールに沿って敷設されたラックと、
前記レールに沿って走行移動可能な台車と、
前記台車に配設され、前記ラックと噛み合うピニオンと、
前記ピニオンを回転駆動させる移動用モータと、
前記台車上に前記舞台の横断方向に沿って設けられた進退用レールと、
前記進退レールに沿って移動可能な進退台と、
前記レールの長手方向に軸心を向けるように前記台車に回転可能に配設され、前記進退台に螺合するボールねじと、
前記ボールねじを回転駆動させる進退用モータと、
前記可撓綱状体と着脱可能に係合して当該可撓綱状体を移動させる可撓綱状体移動手段と
を備えてなることを特徴とする請求項１に記載の舞台の吊物昇降装置。
【請求項３】
前記引き綱が前記下部主滑車の軸回りと同じ軸回りの滑車と前記上部主滑車との間に掛け渡されていることを特徴とする請求項１または２に記載の舞台の吊物昇降装置。
【発明の詳細な説明】
【０００１】
【発明の属する技術分野】
本発明は、舞台の背景の大道具や各種の幕などの吊物を昇降する吊物昇降装置に関する。
【０００２】
【従来の技術】
古典的な歌舞伎からモダンなライブコンサートまで多目的に使用可能な仕様の舞台では、背景の大道具や各種の幕などの吊物を昇降させる昇降式のバトンが多用されている。
【０００３】
ところで、歌舞伎などを上演する際には、吊物の微妙な動きを演出する等の理由から、上記バトンを手動によって昇降できるようにしておく必要がある。一方、近年の公共ホールでは、バトンの昇降を手動で行う技術者を常時確保しておくことが非常に困難であるため、吊物の重量に応じたカウンタウエイトの重量調整をすることなくアンバランスのままバトンを簡単に昇降させることのできる電動式の吊物昇降装置が必要となっている。
【０００４】
そこで、手動と電動とを切り換えできるクラッチ付きの吊物昇降装置を各バトンにそれぞれ設け、舞台での演目等に応じて使い分けできるようにしている。
【０００５】
【発明が解決しようとする課題】
しかしながら、上述したような手動と電動とを切り換えできるクラッチ付きの吊物昇降装置を各バトンにそれぞれ設けると、設備コストが多大になってしまうだけでなく、不稼働の駆動機構も多くなってしまい、駆動機構を有効に利用できなかった。
【０００６】
このようなことから、本発明は、舞台の演目等に応じて電動式昇降と手動式昇降とを切り換えできると共に、駆動機構を効率よく稼働することができる吊物昇降装置を提供することを目的とした。
【０００７】
【課題を解決するための手段】
前述した課題を解決するための、本発明による舞台の吊物昇降装置は、舞台の前後方向に複数配設され、吊物が取り付けられるバトンと、前記バトンの各上方の前記舞台の横断方向に複数配列された滑車を経て前記バトンを吊るす複数のワイヤと、前記舞台の一方の側部に設けられた上部主滑車および下部主滑車に掛け渡された可撓綱状体と、前記可撓綱状体および前記ワイヤに連結されたカウンタウエイトと、前記上部主滑車を往復回転駆動させる引き綱と、前記舞台の前後方向に沿って移動できるように当該舞台の一方の側部に配設され、前記可撓綱状体と着脱可能に係合して当該可撓綱状体を移動させる昇降手段と、前記可撓綱状体に着脱可能に係合して当該可撓綱状体の移動を拘束するロック手段とを備えてなることを特徴とする。
【０００８】
上述の舞台の吊物昇降装置において、前記昇降手段が前記舞台の一方の側部に当該舞台の前後方向に沿って敷設された移動用レールと、前記レールに沿って敷設されたラックと、前記レールに沿って走行移動可能な台車と、前記台車に配設され、前記ラックと噛み合うピニオンと、前記ピニオンを回転駆動させる移動用モータと、前記台車上に前記舞台の横断方向に沿って設けられた進退用レールと、前記進退レールに沿って移動可能な進退台と、前記レールの長手方向に軸心を向けるように前記台車に回転可能に配設され、前記進退台に螺合するボールねじと、前記ボールねじを回転駆動させる進退用モータと、前記可撓綱状体と着脱可能に係合して当該可撓綱状体を移動させる可撓綱状体移動手段とを備えてなることを特徴とする。
【０００９】
上述の舞台の吊物昇降装置において、前記引き綱が前記下部主滑車の軸回りと同じ軸回りの滑車と前記上部主滑車との間に掛け渡されていることを特徴とする。
【００１０】
【発明の実施の形態】
本発明による舞台の吊物昇降装置の実施の形態を図１を用いて説明する。なお、図１は、その概略構成を表す一部切り欠き斜視図である。
【００１１】
図１において、１０はバトンであり、舞台１の前後方向に複数配設され、演目に応じた各種の吊物が吊り下げられるようになっている。１１は滑車であり、舞台１の上方のすのこ２上に舞台１の横断方向に複数配列されている。１２はワイヤであり、上記滑車１１を経てバトン１０をそれぞれ吊るしている。１３は上部主滑車であり、舞台１の一側部において上記滑車１１とほぼ同じ高さで梁３に設けられている。１４は下部主滑車であり、上部主滑車１３の下方に設けられている。１５は可撓綱状体であり、上部主滑車１３と下部主滑車１４との間に掛け渡され、バトン１０の昇降行程長に渡る部分に設けられたチェーン１５ａおよびその他の部分を構成するワイヤ１５ｂからなっている。１６はカウンタウエイトであり、上記ワイヤ１２および上記可撓綱状体１５に連結されている。１７は手動用の引き綱であり、下部主滑車１４の軸回りと同じ軸回りで回転する滑車１４ａと上部主滑車１３との間に掛け渡され、当該上部主滑車１３を往復回転駆動することができるようになっている。
【００１２】
前記カウンタウエイト１６は、吊物のない状態でバトン１０に対して釣り合わされ、図示しない案内レールに沿って昇降移動できるようになっており、バトン１０に重い大道具を吊る際には着脱可能な予備ウエイトを適宜付加することができるようになっている。
【００１３】
前記引き綱１７は、バトン１０をどのような高さに昇降しておいても、手動時にいつでも使用できるようになっており、例えば、吊物に微妙な背景の動きをさせる場合等に使用する。なお、カウンタウエイト１６の重量調整（つみかえ）ができないような素人に近いオペレータが操作する場合には、次のような電動式の昇降ユニット２０を使用する。
【００１４】
図１において、昇降手段である昇降ユニット２０は、舞台１の前後方向に沿って移動できるように可撓綱状体１５のチェーン１５ａ近傍に配設され、当該チェーン１５ａと着脱可能に係合して当該可撓綱状体１５を移動させることができるようになっており、次のような構成となっている。
【００１５】
２１は移動用レールであり、舞台１の一側部の下部ピット１ａ内に当該舞台１の前後方向に沿って敷設されている。２２はラックであり、上記ピット１ａ内に上記レール２１に沿って敷設されている。２３は台車であり、上記移動用レール２１上に配備され、当該レール２１に沿って走行移動することができるようになっている。２４はピニオンであり、上記台車２３の下部に設けられて前記ラック２２に噛み合わされている。２５はブレーキ付きの移動用モータであり、台車２３に据え付けられ、上記ピニオン２４を回転駆動することができるようになっている。２６はスプロケットホイールであり、台車２３の上部に配備され、前記可撓綱状体１５のチェーン１５ａに噛み合うことができるようになっている。２７は正逆転可能な昇降用モータであり、台車２３上に設けられ、上記スプロケットホイール２６を回転駆動することができるようになっている。２８は噛合制御ブロックであり、上記スプロケットホイール２６および上記昇降用モータ２７をスライド移動させて当該スプロケットホイール２６を上記チェーン１５ａと噛み合わせたり当該チェーン１５ａから引き離したりすることができるようになっており、具体的には次のように構成されている。
【００１６】
２８ａは進退用レールであり、台車２３上に舞台１の横断方向に沿って設けられている。２８ｂは進退台であり、上記進退用レール２８ａ上にスライド移動可能に設けられ、上記スプロケットホイール２６や昇降用モータ２７等を支持している。２８ｃはボールねじであり、上記進退用レール２８ａの長手方向に軸心を向けるように上記台車２３上に回転可能に配設され、上記昇降台２８ａの下面部分に螺合している。また、ボールねじ２８ｃの軸端には、当該ボールねじ２８ｃを正逆回転駆動させる図示しない進退用モータが連結されている。なお、本実施の形態では、スプロケットホイール２６、昇降用モータ２７などにより可撓綱状体移動手段を構成している。
【００１７】
また、図１において、３０はロック手段であるロックユニットであり、可撓綱状体１５のチェーン１５ａに着脱可能に係合して当該可撓綱状体１５の移動を拘束することができるようになっており、次のような構成となっている。
【００１８】
３１は揺動爪であり、前記可撓綱状体１５のチェーン１５ａの近傍に配設され、基端が回動可能に支持されると共に、先端が当該チェーン１５ａに噛み込むことができるようになっている。３２は電気シリンダであり、そのロッドの先端が揺動爪３１の基端に連結され、当該ロッドが伸長することにより、揺動爪３１の先端を上記チェーン１５ａの噛み込みから解放し、当該ロッドが収縮（スプリング作動）することにより、揺動爪３１の先端を上記チェーン１５ａに噛み込ませることができるようになっている。
【００１９】
このロックユニット３０は、電動であれ手動であれ、バトン１０の昇降作動後に上記揺動爪３１を上記チェーン１５ａに噛み込ませることにより、当該バトン１０の位置を保持し、上記揺動爪３１の上記チェーン１５ａに対する噛み込みを解除することにより、バトン１０を昇降作動させることができる。このロックユニット３０でバトン１０の位置を保持することにより、他のバトン１０を昇降させるために昇降ユニット２０を移動させることができる。なお、ロックユニット２０は、逆に昇降ユニット２０を配備する台車２３上に設けてもよく、そうすればロックユニット３０の台数を減らすことができる。
【００２０】
このような舞台の吊物昇降装置において、重い吊物をバトン１０に吊り下げている場合や手動操作できない素人のオペレータが操作する場合には、昇降ユニット２０の移動用モータ２５を作動して、台車２３を当該バトン１０部分の可撓綱状体１５のチェーン１５ａ近傍に位置させるように移動し、噛合制御ブロック２８の前記進退用モータを作動してスプロケットホイール２６を上記チェーン１５ａに噛み合わせたら、ロックユニット３０の電気シリンダ３２のロッドを伸長して揺動爪３１を上記チェーン１５ａの噛み込みから解放した後、昇降用モータ２７を作動して上記スプロケットホイール２６を回転駆動させることにより、当該バトン１０を昇降させることができる。
【００２１】
上記バトン１０を所定の高さ位置に昇降させたら、ロックユニット３０の電気シリンダ３２のロッドを収縮して揺動爪３１を上記チェーン１５ａに噛み込ませることにより、当該バトン１０を所定の高さに位置決め固定することができ、噛合制御ブロック２８の前記進退用モータを作動してスプロケットホイール２６を上記チェーン１５ａから引き離すことにより、昇降ユニット２０の移動が可能となり、昇降ユニット２０を他のバトン１０の昇降に利用することができる。
【００２２】
一方、バトン１０を手動で昇降させる場合には、当該バトン１０部分のロックユニット３０の電気シリンダ３２のロッドを伸長して揺動爪３１を上記チェーン１５ａの噛み込みから解放し、熟練技術者が手動用の引き綱１７を操作することにより、当該バトン１０を昇降させることができ、当該操作終了後、ロックユニット３０の電気シリンダ３２のロッドを収縮して揺動爪３１を上記チェーン１５ａに噛み込ませることにより、当該バトン１０を固定することができる。
【００２３】
つまり、同時運転する必要のあるバトン１０の本数分だけ上記昇降ユニット２０を配設することにより、バトン１０を昇降させる駆動機構の稼働率を高めることができるようにしたのである。
【００２４】
したがって、このような舞台の吊物昇降装置によれば、舞台の演目等に応じて電動式昇降と手動式昇降とを切り換えできると共に、駆動機構を効率よく稼働することができる。
【００２５】
また、ラック２２およびピニオン２４により、スリップを生じさせることなく台車２３を移動させることができるので、可撓綱状体１５のチェーン１５ａに対する台車２３の位置制御を遠隔操作でも正確に行うことができると共に、ボールねじ２８ｃの逆止作用により、可撓綱状体１５のチェーン１５ａに対してスプロケットホイール２６を確実に押し付けることができる。
【００２６】
【発明の効果】
本発明による舞台の吊物昇降装置では、舞台の前後方向に複数配設され、吊物が取り付けられるバトンと、前記バトンの各上方の前記舞台の横断方向に複数配列された滑車を経て前記バトンを吊るす複数のワイヤと、前記舞台の一方の側部に設けられた上部主滑車および下部主滑車に掛け渡された可撓綱状体と、前記可撓綱状体および前記ワイヤに連結されたカウンタウエイトと、前記上部主滑車を往復回転駆動させる引き綱と、前記舞台の前後方向に沿って移動できるように当該舞台の一方の側部に配設され、前記可撓綱状体と着脱可能に係合して当該可撓綱状体を移動させる昇降手段と、前記可撓綱状体に着脱可能に係合して当該可撓綱状体の移動を拘束するロック手段とを備えてなることから、バトンを手動によって昇降させる必要がある場合には、ロック手段のロックを解除して引き綱を手動で操作することにより、当該バトンをオペレータの意のままに昇降させて、ロック手段でロックすることにより当該バトンを保持することができると共に、手動操作のできぬ素人のオペレーターが使用する場合には、当該バトン位置に昇降手段を移動して可撓綱状体に係合させた後、ロック手段のロックを解除してから可撓綱状態を移動させることにより、当該バトンを自動的に昇降作動させて、ロック手段でロックすることにより当該バトンを保持することができる。その結果、単一の昇降手段でも複数のバトンの電動昇降作動を行うことができるので、舞台の演目等に応じて電動式昇降と手動式昇降とを切り換えできると共に、駆動機構を効率よく稼働することができる。
【００２７】
また、前記昇降手段が前記舞台の一方の側部に当該舞台の前後方向に沿って敷設された移動用レールと、前記レールに沿って敷設されたラックと、前記レールに沿って走行移動可能な台車と、前記台車に配設され、前記ラックと噛み合うピニオンと、前記ピニオンを回転駆動させる移動用モータと、前記台車上に前記舞台の横断方向に沿って設けられた進退用レールと、前記進退レールに沿って移動可能な進退台と、前記レールの長手方向に軸心を向けるように前記台車に回転可能に配設され、前記進退台に螺合するボールねじと、前記ボールねじを回転駆動させる進退用モータと、前記可撓綱状体と着脱可能に係合して当該可撓綱状体を移動させる可撓綱状体移動手段とを備えてなることから、ラックおよびピニオンにより台車をスリップさせることなく移動させて、遠隔での位置制御を正確に行うことができると共に、ボールねじの逆止作用により可撓綱状体に対して可撓綱状体移動手段を確実に係合させることができる。
【００２８】
また、前記引き綱が前記下部主滑車の軸回りと同じ軸回りの滑車と前記上部主滑車との間に掛け渡されていることから、電動でバトンを昇降移動しない場合でも、引き綱をいつでも使用することができる。
【図面の簡単な説明】
【図１】本発明による舞台の吊物昇降装置の実施の形態の概略構成を表す一部切り欠き斜視図である。
【符号の説明】
１  舞台
１ａ  下部ピット
２  すのこ
３  梁
１０  バトン
１１  滑車
１２  ワイヤ
１３  上部主滑車
１４  下部主滑車
１４ａ  滑車
１５  可撓綱状体
１５ａ  チェーン
１５ｂ  ワイヤ
１６  カウンタウエイト
１７  引き綱
２０  昇降ユニット
２１  移動用レール
２２  ラック
２３  台車
２４  ピニオン
２５  移動用モータ
２６  スプロケットホイール
２７  昇降用モータ
２８  噛合制御ブロック
２８ａ  進退用レール
２８ｂ  進退台
２８ｃ  ボールねじ
３０  ロックユニット
３１  揺動爪
３２  電気シリンダ
【図１】
0003686228.tif 000002